(57)【特許請求の範囲】
【請求項１】
平面方形状に形成され、四隅の平面Ｌ字状支柱部を側壁と上枠で連結し、前記支柱部と側壁と上枠で囲まれた部分を窓とし、底部は、相互に積み重ねたとき下段容器の上部開口部に嵌合するように前記支柱部と側壁の下端から突出しており、長手方向の一方側において、前記支柱部に突設した上部フランジの長手上枠側の上面を、前記長手上枠と共に他の支柱部及び上枠の上面よりも凹んだ凹部に形成し、前記凹部の深さ寸法は突出した底部の突出寸法と同じか、僅かに大きく形成されており、長手方向の他方側においては、前記支柱部に上部フランジと下部フランジを設け、下部フランジの角部を上部フランジの角部よりも外側に突出させてなり、前記下部フランジの下面に平面において上部フランジよりも外側に位置する係止片を下向きに突設したことを特徴とする合成樹脂製運搬容器。
【請求項２】
係止片は、下部フランジの角部の外面に沿って形成されていることを特徴とする請求項１に記載の合成樹脂製運搬容器。
【請求項３】
底部はリブによって形成され、内部には仕切り壁によって壜を収納する区室が形成されていることを特徴とする請求項１または２に記載の合成樹脂製運搬容器。
【発明の詳細な説明】
【技術分野】
【０００１】
この発明は、２個の運搬容器の側壁外面を突き合わせた状態に置いて、その平面に２倍の大きさの運搬容器を安定的に積み重ねることができる合成樹脂製運搬容器に係り、特に、ビール、コーラ、ジュース、清涼飲料等のボトルを保管、運搬したり、陳列する際に使用する合成樹脂製運搬容器に関する。
【背景技術】
【０００２】
従来、ビール、清涼飲料用等の壜を収納、運搬するのに合成樹脂製運搬容器が使用されている。これらの合成樹脂製運搬容器は一般に底部は格子状リブによって形成され、内部には壜を隔離収納するために側壁間に設けた縦横の格子状仕切壁によって２０又は３０の区室が設けられ、これらの区室内に壜を収納するものである。そして、これらの壜運搬容器は相互に積み重ねた状態で保管、運搬される。
【０００３】
しかしながら、このように一箱に多数本の壜が収納されていると、持ち運びには重くて不便であるとともに、店頭に他種類のボトルを陳列するには大きなスペースを必要とする。そこで、従来の壜運搬容器を２分の１の大きさに分割成形して小型化を図り、持ち運びを容易にするとともに、保管の際には分割成形した２個の壜運搬容器を相互に連結して安定させる構造の壜運搬容器が提案されている。
【０００４】
このような側壁を突き合わせて並べた容器の上に、２倍の大きさの容器を積み重ねられるようにした壜運搬容器には、例えば、実開昭６１−８６２３１号公報に記載の連結式運搬容器、実公平２−２４７４８号公報に記載の合成樹脂製壜運搬容器等がある。これらの容器の底部は、積み重ねたとき上段の容器の底部が下段の容器の上部開口部に嵌合するように突出して形成されている。上段の容器の突出した底部が下段の容器の上縁内側に係止することによって、滑り落ちることがなく安定して積み重ねられる。
【特許文献１】実開昭６１−８６２３１号公報
【特許文献２】実公平２−２４７４８号公報
【発明の開示】
【発明が解決しようとする課題】
【０００５】
上記実開昭６１−８６２３１号公報及び実公平２−２４７４８号公報記載の容器は、２倍の大きさの運搬容器を安定的に積み重ねることができるように、２分の１の大きさの運搬容器の突き合わせ面側となる側壁上端面を底部の突出分だけ低くして形成されている。即ち、突き合わせ面側の側壁上端面が、他の３辺の側壁上端面と同じ高さであると、２倍の大きさの運搬容器を積み重ねたとき、底面が前記側壁上端面に載置されることになり、積み重ねることができないからである。
【０００６】
しかしながら、突き合わせ面側の側壁上端面を底部の突出分だけ低く形成すると、２倍の大きさの運搬容器は積み重ねられるが、２分の１の大きさの運搬容器同士を積み重ねると、突き合わせ面側の側壁上端に係止することがないから、滑り落ちるおそれがある。従って、実開昭６１−８６２３１号公報記載の運搬容器に相互に積み重ねることができない。
【０００７】
そこで、実公平２−２４７４８号公報記載の容器は、突き合わせ面側の側壁上端面を波形状に形成して凹部に底リブを嵌合させ、凸部で係止することにより安全に積み重ねることができるように構成されている。
【０００８】
このように、側壁上端面を波形状に形成すると、同一形状の容器を互いに積み重ねることができるものの、金型製作費が高くなる。また、底部を底リブで形成したリブ構造の場合には、底リブを嵌合させる凹部を形成すればよいが、底部が閉じた板状構造や複雑なリブ構造の場合には、側壁上端面を波形状に形成することができない場合がある。
【０００９】
この発明は、かかる現況に鑑みてなされたもので、突き合わせ面側の側壁上端面を波形状に形成することなく、安定した状態で積み重ねができ、荷崩れを防止できる合成樹脂製運搬容器を提供することを目的とするものである。
【課題を解決するための手段】
【００１０】
この発明は上記目的を達成するために次のような構成とした。即ち、この発明に係る合成樹脂製運搬容器は、平面方形状に形成され、四隅の平面Ｌ字状支柱部を側壁と上枠で連結し、前記支柱部と側壁と上枠で囲まれた部分を窓とし、底部は、相互に積み重ねたとき下段容器の上部開口部に嵌合するように前記支柱部と側壁の下端から突出しており、長手方向の一方側において、前記支柱部に突設した上部フランジの長手上枠側の上面を、前記長手上枠と共に他の支柱部及び上枠の上面よりも凹んだ凹部に形成し、前記凹部の深さ寸法は突出した底部の突出寸法と同じか、僅かに大きく形成されており、長手方向の他方側においては、前記支柱部に上部フランジと下部フランジを設け、下部フランジの角部を上部フランジの角部よりも外側に突出させてなり、前記下部フランジの下面に平面において上部フランジよりも外側に位置する係止片を下向きに突設したことを特徴とする。前記係止片は、下部フランジの角部の外面に沿って形成することが好ましい。また、底部はリブによって形成し、内部には仕切り壁によって壜を収納する区室を形成するものであってもよい。
【発明の効果】
【００１１】
同一形状の壜運搬容器をいわゆる棒積みした場合には、支柱部下端面に突設した係止片が、下段の運搬容器の支柱部外面に係止することによって安全な積み重ねができる。また、２つの支柱部とは対向する側の側壁と支柱部の一方の側面の上面に前記突出した底部が嵌合する凹部を形成することによって、突き合わせて並列した運搬容器に２倍の大きさの運搬容器を積み重ねることができる。そして、積み重ねた２倍の大きさの運搬容器は、底部の手前を浮かせるだけで容易に引き出すことができる。
【発明を実施するための最良の形態】
【００１２】
以下に、図示する実施形態について詳細に説明する。まず、この発明に係る壜運搬容器Ｈについて図１〜図４及び図７に基づき説明する。壜運搬容器Ｈは平面において方形状に形成されており、四隅のＬ字状支柱部１、２、３及び４の下端部を長手側壁５、６、短手側壁７、８で連結し、さらに上端部を長手上枠１０、１１、短手上枠１２、１３により連結し、前記支柱部と側壁及び上枠によって囲まれた部分を窓１４としている。
【００１３】
この実施形態では長手上枠１０、１１及び短手上枠１２、１３は、断面コ字状に形成されており、把手として利用される。壜運搬容器Ｈの底部１５は、底枠１６と底リブ１７とからなる。底枠１６は、前記上枠１０、１１、１２及び１３の内面よりも平面において内側に位置するように、即ち、壜運搬容器Ｈの上部開口部に嵌合する大きさに形成され、前記支柱部１〜４及び側壁５〜８の下端から突設されている。
【００１４】
底リブ１７は、図２に示すように、前記底枠１６内に配設した円環リブ１７ａと、円環リブ１７ａ同士を連結する連結リブ１７ｂと、円環リブ１７ａと底枠１６を連結する連結リブ１７ｃによって構成されている。
【００１５】
壜運搬容器Ｈの内部には、図１に示すように、長手方向にジグザグ状の２つの仕切り壁１８，１８を平行に設け、前記仕切り壁１８，１８の内側における頂点を仕切り壁１８ａによって連結するとともに、前記仕切り壁１８，１８の外側における頂点と長手側壁５，６及び短手側壁７，８を仕切り壁２０によって連結することによって、壜を隔離して収納するための区室２１が形成されている。底リブ１７を構成する円環リブ１７ａが、前記区室２１のほぼ中心に位置している。従って、区室２１に収納された壜底部は、底リブ１７上に載置される。
【００１６】
次に、長手上枠１０と支柱部１，４について説明する。長手上枠１０の上面と、支柱部１、４の長手上枠１０に連結する側の上面には、他方側の長手上枠１１及び短手上枠１２、１３の上面よりも凹んだ凹部１９が形成されている。その凹部１９の深さ寸法は、底部１５の突出寸法と同じか、僅かに大きく形成されている。従って、壜運搬容器Ｈを２個並べてその上に２倍の大きさの壜運搬容器を積み重ねると、上段にある２倍の大きさの壜運搬容器の底部が下段の壜運搬容器Ｈの長手上枠１０と支柱部１，４の長手上枠１０に連結する側の上面に載置することなく積み重ねることができる。
【００１７】
さらに、支柱部２、３の上端部外面には上部フランジ２３，下端部外面には下部フランジ２５が突設されており、前記側壁５〜８の下端部外面には、下部フランジ２７が突設されている。前記上部フランジ２３と下部フランジ２５の角部は円弧状に形成され、前記下部フランジ２５と下部フランジ２７とは同一水平面において連続している。従って、壜運搬容器Ｈ同士を積み重ねると、上段の壜運搬容器Ｈの下部フランジ２５が下段の壜運搬容器Ｈの上部フランジ２３に載置され、下部フランジ２７が上枠１１、１２及び１３の上端面に載置され、上段の壜運搬容器Ｈの底部１５が下段の壜運搬容器Ｈの上部開口部に嵌合する。
【００１８】
前記支柱部２、３の上部フランジ２３の角部よりも下部フランジ２５の角部が突出しており、その突出部２５ａの下面に係止片２９が下向きに突設されている。前記係止片２９は、図１及び２に示すように、平面において上部フランジ２３の外側に位置している。前記係止片２９は、下部フランジ２５の先端部に位置するように形成するのが好ましい。
【００１９】
従って、壜運搬容器Ｈ同士を積み重ねたときは、図５に示すように、上段の壜運搬容器Ｈの下部フランジ２５が下段の壜運搬容器Ｈの上部フランジ２３に載置されると同時に、係止片２９は上部フランジ２３の外面に係止することになる。係止片２９は、上部フランジ２３の円弧状に形成された角部の先端に係止しているから、上段の壜運搬容器Ｈが長手上枠１０方向及び短手上枠１２，１３方向へずれるのを防止する。
【００２０】
また、上部開口部に嵌合した上段の壜運搬容器Ｈは、底部１５の底枠１６が下段の壜運搬容器Ｈの長手上枠１１及び短手上枠１２，１３に係止することによってずれるのを防止している。このように、上段の壜運搬容器Ｈは、いずれの方向へのずれも防止されることになる。
【００２１】
上記構造としたので、同一形状の壜運搬容器Ｈをいわゆる棒積みした場合には、上段の壜運搬容器Ｈの底枠１６は下段の壜運搬容器Ｈの長手上枠１０には係止されないが、係止片２９が上部フランジ２３の先端部に係止することによって安全な積み重ねができる。
【００２２】
また、図６に示すように、２個の壜運搬容器Ｈの長手側壁５側を突き合わせて上段に２倍の大きさの壜運搬容器Ｈ１を積み重ねた場合には、上段の壜運搬容器Ｈ１の底部Ｂは長手上枠１０に載置されることがないから、２個の壜運搬容器Ｈの上に積み重ねることができる。また、２倍の大きさの壜運搬容器Ｈ１には、壜運搬容器Ｈを突き合わせて積み重ねることができる。
【００２３】
一方、壜運搬容器Ｈを積み降ろす際には、壜運搬容器Ｈ同士を積み重ねた場合と同様に底部が引っかかることがないから、手前の底部を僅かに浮かせるだけでスムーズに引き出すことができる。
【００２４】
さらに、２倍の大きさの壜運搬容器Ｈ１の上に壜運搬容器Ｈの長手側壁５側を突き合わせて積み重ねた場合には、壜運搬容器Ｈの突出部２５ａの下面に突設された係止片２９が壜運搬容器Ｈ１の角部外面に係止することになり、安全に積み重ねることができる。
【００２５】
尚、上記実施形態では,底部がリブ構造であり、内部に仕切壁によって壜を収納する区室を設けた壜運搬容器について説明したが,これに限定されるものではなく、底部が閉じた板状底部であり、仕切壁を省略した運搬容器であってもよい。
【図面の簡単な説明】
【００２６】
【図１】この発明に係る壜運搬容器の平面図である。
【図２】同じく底面図である。
【図３】図１におけるＡ−Ａ線において右側を断面した正面図である。
【図４】図１におけるＢ−Ｂ線断面図である。
【図５】この発明に係る同一容器を積み重ねた状態の一部断面正面図である。
【図６】壜運搬容器の積み重ね状態を説明するための一部断面正面図である。
【図７】図３におけるＣ−Ｃ線断面図である。
【符号の説明】
【００２７】
Ｈ：壜運搬容器
１，２，３，４：支柱部
５，６：長手側壁
７，８：短手側壁
１０，１１：長手上枠
１２，１３：短手上枠
１４：窓  
１５：底部  
１６：底枠  
１７：底リブ
１８：仕切り壁
１９：凹部
２０：仕切り壁
２１：区室  
２３：上部フランジ  
２５：下部フランジ  
２７：下部フランジ  
２９：係止片
【図１】
0004671108.tif 000002
【図２】
0004671108.tif 000003
【図３】
0004671108.tif 000004
【図４】
0004671108.tif 000005
【図５】
0004671108.tif 000006
【図６】
0004671108.tif 000007
【図７】
0004671108.tif 000008